(57)【要約】    【課題】      利用者が移動する場合にも基地局装置が提供する一塊りのサービスをその終了まで受けられるようにする通信端末装置、基地局装置およびそれらの制御方法並びにＭＢＭＳ提供方法を提供すること。    【解決手段】  ＭＳ１００は、基地局装置から、該当基地局装置が予測したサービスエリアに滞在する利用者の滞在時間と、この滞在時間中に基地局装置が提供するＭＢＭＳの各提供時間を受信する。ＭＳ１００は、前記滞在時間と、前記各提供時間とを比較し、滞在時間中に受信完了可能な一群のサービスを受信完了可能サービス抽出部１０５で抽出し、抽出されたサービス群を表示部１０３利用者に選択可能に表示する。  【選択図】      図２
2007081714.tif 000002
【特許請求の範囲】
【請求項１】
マルチメディア・ブロードキャスト／マルチキャスト・サービス（ＭＢＭＳ）の受信を希望する利用者について予測されるサービスエリアでの滞在時間を取得するサービスエリア滞在時間取得手段と、
前記滞在時間内に提供されるＭＢＭＳ情報に関し、そのＭＢＭＳの各提供時間を含めて取得するサービス情報取得手段と、
取得した前記滞在時間とＭＢＭＳの前記各提供時間とを比較し、受信完了可能な一群のサービスを抽出する受信完了可能サービス抽出手段と、
前記受信完了可能サービス抽出手段で抽出されたサービス群を利用者に選択可能に表示するサービス群表示手段と、
を具備することを特徴とする通信端末装置。
【請求項２】
前記サービスエリア滞在時間取得手段は、前記滞在時間を基地局装置から受信して取得し、前記サービス情報取得手段は、ＭＢＭＳの前記各提供時間を基地局装置から受信して取得する請求項１記載の通信端末装置。
【請求項３】
マルチメディア・ブロードキャスト／マルチキャスト・サービス（ＭＢＭＳ）の受信を希望する利用者のサービスエリアでの滞在時間を予測するサービスエリア滞在時間予測手段と、
前記滞在時間内に提供されるＭＢＭＳ情報を、そのＭＢＭＳの各提供時間を含めて抽出するサービス抽出手段と、
利用者が受信可能なサービスを選択可能とするために、前記サービス抽出手段で抽出されたＭＢＭＳ情報および前記滞在時間を請求項１又は請求項２に記載の通信端末装置に送信するサービス情報送信手段と、
を具備することを特徴とする基地局装置。
【請求項４】
前記サービスエリア滞在時間予測手段は、前記通信端末装置から受信した前記利用者の目的地に関する情報に基づき前記滞在時間を予測する請求項３に記載の基地局装置。
【請求項５】
利用者の現在地と移動方向から移動経路を予測する移動経路予測手段と、利用者の移動速度を予測する移動速度予測手段とを具備し、前記サービスエリア滞在時間予測手段は、予測された前記移動経路の距離および移動速度から、前記滞在時間を予測する請求項１記載の基地局装置。
【請求項６】
前記移動経路予測手段および移動速度予測手段は、前記通信端末装置から受信する異なる時点での前記通信端末装置の現在位置情報に基づき、前記移動経路および前記移動速度を予測する請求項５に記載の基地局装置。
【請求項７】
前記サービス抽出手段は、利用者が目的地に至るまでに通過する連続する複数のサービスエリアで提供されるＭＢＭＳ情報を抽出する請求項３から請求項６のいずれかに記載の基地局装置。
【請求項８】
マルチメディア・ブロードキャスト／マルチキャスト・サービス（ＭＢＭＳ）の受信を希望する利用者について予測されるサービスエリアでの滞在時間を取得するサービスエリア滞在時間取得ステップと、
前記滞在時間内に提供されるＭＢＭＳ情報に関し、そのＭＢＭＳの各提供時間を含めて取得するサービス情報取得ステップと、
取得した前記滞在時間とＭＢＭＳの前記各提供時間とを比較し、受信完了可能な一群のサービスを抽出する受信完了可能サービス抽出ステップと、
前記受信完了サービス抽出ステップで抽出されたサービス群を利用者に選択可能に表示するサービス群表示ステップと、
を具備することを特徴とする通信端末装置の制御方法。
【請求項９】
マルチメディア・ブロードキャスト／マルチキャスト・サービス（ＭＢＭＳ）の受信を希望する利用者のサービスエリアでの滞在時間を予測するサービスエリア滞在時間予測ステップと、
前記滞在時間内に提供されるＭＢＭＳ情報を、そのＭＢＭＳの各提供時間を含めて抽出するサービス抽出ステップと、
前記サービスエリア滞在時間予測ステップで取得した前記滞在時間と、前記サービス抽出ステップで取得した前記各提供時間とを比較し、受信完了可能な一群のサービスを抽出する受信完了可能サービス抽出ステップと、
前記受信完了サービス抽出ステップで抽出されたサービス群を利用者に選択可能に表示するサービス群表示ステップと、
を具備することを特徴とするＭＢＭＳ提供方法。
【発明の詳細な説明】
【技術分野】
【０００１】
本発明は、利用者の移動に対応したサービスを提供するのに適した通信端末装置およびその制御方法並びにＭＢＭＳ提供方法に関する。
【背景技術】
【０００２】
移動体通信の分野においては、最近、マルチメディア・ブロードキャスト／マルチキャスト・サービス（Multimedia Broadcast/Multicast Service：以下、ＭＢＭＳという）に関する技術的な検討が行われている（例えば、非特許文献１参照）。ＭＢＭＳで行われる通信は、１対１の通信ではなく、１対多の通信となる。すなわち、ＭＢＭＳでは、１つの基地局装置が複数の端末装置に対して同時に同一データ（例えば、音楽データやビデオ画像データ等）を送信する。
【０００３】
ＭＢＭＳを行うことの利点としては以下のことが挙げられる。すなわち、ストリーミング・サービス等で、基地局装置から送信される情報をそれぞれの端末装置が個別チャネルを１チャネルずつ使用して受信すると、その情報を受信したい端末装置が増えた場合に、無線回線にかかる負荷が大きくなってしまう。しかし、ＭＢＭＳを使用すると、端末装置が増えた場合でもそれらの端末装置すべてが同じチャネルを使用して情報を受信するので、無線回線にかかる負荷を増大させることなく情報受信できる端末装置を増加させることができる。現在、ＭＢＭＳを用いたサービスとしては、交通情報の配信、音楽配信、駅でのニュース配信、スポーツ中継の配信等が考えられており、８〜２５６kbps程度の伝送レートで行うことが検討されている。
【０００４】
また、従来ＭＢＭＳのサービスを受信する際、通信端末装置はサービス開始以前あるいは、開始後から終了までの間に受信登録を行う。受信登録を行った通信端末装置は、サービス開始時に送信されてくる開始信号またはサービス中である旨を通知する信号を受信することにより、ＭＢＭＳのサービスを受信することができる（非特許文献２）。なお、基地局装置は、通信端末装置からの受信登録を受信して、サービスを受信中のユーザ数をカウントし、サービスを共通チャネルで送信するかまたは、個別チャネルで送信するかの判定にユーザ数を用いる。
【非特許文献１】3GPP TS 25.211 V5.1.0（2002-06）: 3rd Generation Partnership Project; Technical Specification Group Radio Access Network; Physical channels and mapping of transport channels onto physical channels （FDD） （Release 5） 2002年6月 5.3.3.4 Secondary Common Control Physical Channel （S-CCPCH）
【非特許文献２】３ＧＰＰ  ＴＳ２５.３４６
【発明の開示】
【発明が解決しようとする課題】
【０００５】
しかしながら、従来技術では、通信端末装置が、サービス開始信号、あるいは、サービス中を示す信号を受信できるのは、当該サービスを提供しているサービスエリアに存在するときのみであり、受信登録後サービスを提供しているサービスエリア外に移動した場合には、利用者はサービス終了まで該当サービスを受信することができない場合がある。
【０００６】
本発明はかかる点に鑑みてなされたものであり、利用者が移動する場合にも一塊りのサービスをその終了まで受けられるようにする、通信端末装置およびその制御方法並びにＭＢＭＳ提供方法を提供することを目的とする。
【課題を解決するための手段】
【０００７】
かかる課題を解決するため本発明の通信端末装置は、マルチメディア・ブロードキャスト／マルチキャスト・サービス（ＭＢＭＳ）の受信を希望する利用者について予測されるサービスエリアでの滞在時間を取得するサービスエリア滞在時間取得手段と、前記滞在時間内に提供されるＭＢＭＳ情報に関し、そのＭＢＭＳの各提供時間を含めて取得するサービス情報取得手段と、取得した前記滞在時間とＭＢＭＳの前記各提供時間とを比較し、受信完了可能な一群のサービスを抽出する受信完了可能サービス抽出手段、前記受信完了可能サービス抽出手段で抽出されたサービス群を利用者に選択可能に表示するサービス群表示手段と、を具備する。
【０００８】
また、本発明の通信端末装置の制御方法は、マルチメディア・ブロードキャスト／マルチキャスト・サービス（ＭＢＭＳ）の受信を希望する利用者について予測されるサービスエリアでの滞在時間を取得するサービスエリア滞在時間取得ステップと、前記滞在時間内に提供されるＭＢＭＳ情報に関し、そのＭＢＭＳの各提供時間を含めて取得するサービス情報取得ステップと、取得した前記滞在時間とＭＢＭＳの前記各提供時間とを比較し、受信完了可能な一群のサービスを抽出する受信完了可能サービス抽出ステップと、前記受信完了可能サービス抽出ステップで抽出されたサービス群を利用者に選択可能に表示するサービス群表示ステップと、を具備する。
【０００９】
また本発明のＭＢＭＳ提供方法は、マルチメディア・ブロードキャスト／マルチキャスト・サービス（ＭＢＭＳ）の受信を希望する利用者のサービスエリアでの滞在時間を予測するサービスエリア滞在時間予測ステップと、前記滞在時間内に提供されるＭＢＭＳ情報を、そのＭＢＭＳの各提供時間を含めて抽出するサービス抽出ステップと、前記サービスエリア滞在時間予測ステップで取得した前記滞在時間と、前記サービス抽出ステップで取得した前記各提供時間とを比較し、受信完了可能な一群のサービスを抽出する受信完了可能サービス抽出ステップと、前記受信完了サービス抽出ステップで抽出されたサービス群を利用者に選択可能に表示するサービス群表示ステップと、を具備する。
【発明の効果】
【００１０】
本発明によれば、利用者のサービスエリア内に滞在することが予測される滞在時間中に提供される各ＭＢＭＳを利用者がサービス受信完了可能かどうかを判定可能とするので、利用者は予めサービス終了まで受信できる可能性の高いＭＢＭＳを選択することができる。
【発明を実施するための最良の形態】
【００１１】
以下、本発明の実施の形態について図面を参照して詳細に説明する。
【００１２】
（実施の形態１）
図１は、本発明の実施の形態１に係る通信サービス提供システムの構成を示すブロック図である。通信サービス提供システムは、通信端末装置（以下、必要に応じて「ＭＳ」という。）１００と、基地局装置（以下、必要に応じて「ＢＳ」という。）２１０、２２０と、無線ネットワーク制御装置(ＲＮＣ)３００と、コア・ネットワーク４００と、ゲートウェイ５００と、インターネット網６００と、コンテンツサーバ７００とから主に構成される。
【００１３】
通信端末装置１００は、基地局装置２１０、２２０と通信し、通信サービスを利用者に提供する。基地局装置２１０、２２０は、通信端末装置１００からのサービス要求に応じて、必要に応じて上位のＲＮＣ、コア・ネットワーク、ゲートウェイ、インターネット網、コンテンツサーバと連携して、通信端末装置１００にサービスを提供する。このような上位装置は従来慣用されている技術で実現できるので、詳しい説明は、ここでは省略する。
【００１４】
図２は、本発明の実施の形態１に係る通信端末装置１００の構成を示すブロック図である。通信端末装置１００は、ＣＰＵ１０１と、無線部１０２と、表示部１０３と、入力部１０４と、受信完了可能サービス抽出部１０５と、サービスリストメモリ１０６と、メモリ１０７と、スピーカー１０８と、マイク１０９から主に構成される。ＣＰＵ１０１は、通信端末装置１００全体の制御を統括する。無線部１０２は、基地局装置２１０、２２０と無線通信を行う。表示部１０３は、ＣＰＵ１０１からの制御に従い各種データを表示する。表示部１０３が大型表示器で構成された場合には、サービスコンテンツとして受信したビデオ映像を表示することができる。入力部１０４は、利用者が入力した内容をＣＰＵ１０１に伝える。受信完了可能サービス抽出部１０５は、基地局装置２１０、２２０からのデータを受けて、所定の条件下でサービスを受信完了できるかを判定し、完了可能と判定したサービスを、リスト情報としてサービスリストメモリ１０６に伝える。サービスリストメモリ１０６は、完了可能なサービスのリストを一時的に記憶する。すなわち、受信完了可能サービス抽出部１０５は、利用者が受信完了可能なサービスを抽出してリスト化する。メモリ１０７は、システムプログラムや各種データを一時記憶するためのもので、ＣＰＵ１０１に対する主メモリを構成している。スピーカー１０８は、携帯電話の一般的な使用としての相手の声を出力する他、基地局装置２１０、２２０が提供するサービスコンテンツを音声で出力ために兼用される。マイク１０９は、携帯電話の一般的な使用として通話の入力用として機能する他、音声による行き先を入力するために兼用される。
【００１５】
図３は、本発明の実施の形態１に係る基地局装置２１０、２２０（以下、必要に応じ、基地局装置２００と表記する。）の構成を示すブロック図である。基地局装置２００は、ＣＰＵ２０１と、無線部２０２と、サービスリストメモリ２０３と、メモリ２０４と、移動経路予測部２０５と、移動速度予測部２０６と、エリア滞在時間予測部２０７とから主に構成される。ＣＰＵ２０１は、基地局装置２００全体の制御を統括する。無線部２０２は、通信端末装置１００と無線通信を行う。サービスリストメモリ２０３は、サービスリストを一時記憶する。メモリ２０４は、ＣＰＵ２０１に対する主メモリおよび提供するサービスプログラムなどを記憶するワークメモリを構成する。移動経路予測部２０５は、利用者の移動経路を予測する。移動速度予測部２０６は、利用者の移動速度を予測する。エリア滞在時間予測部２０７は、基地局装置２００が提供するサービスエリアでの利用者の滞在時間を予測する。さらにＣＰＵ２０１は、エリア滞在時間予測部２０７が予測したサービスエリア滞在時間Ｔに基づきメモリ２０４を検索し、サービスエリア滞在時間Ｔに提供されるサービスを全て抽出する。
【００１６】
以下実施の形態１では、移動経路予測部２０５、移動速度予測部２０６、エリア滞在時間予測部２０７を基地局装置２００で予測する例を示すが、本発明はこれに限ったものではなく、通信端末装置１００、ＲＮＣ３００、コア・ネットワーク４００に予測する機能を設けてもよい。勿論、より上位のコンテンツサーバ７００に該当する予測機能を設けても良い。
【００１７】
図４は、利用者が、実施の形態１に係る通信サービス提供システムを利用する様子を示す模式図である。サービスエリア１は、基地局装置２００の電波が届く、いわゆるセル領域である。通信端末装置１００を所持する利用者の現在地をＰ１、目的地をＰ２で示す。利用者の移動経路とサービスエリア１の境界との交点をＰ３で示す。
【００１８】
図５は、利用者が入力によって得られた、利用者の現在地Ｐ１、目的地Ｐ２、目的地到着予定時刻Ｔ２の各データから基地局装置２００が、サービスエリア滞在時間を予測する動作を示すフロー図である。
【００１９】
利用者が入力部１０４を用いて、現在地Ｐ１、目的地Ｐ２、目的地到着予定時刻Ｔ２およびＭＢＭＳサービスを希望する旨を入力すると、通信端末装置１００はそれらの情報を基地局装置２００に送信する。
【００２０】
なお、ここでは、利用者が入力する情報として、現在地、目的地、目的地到着予定時刻を例に挙げたが、本発明は、これに限ったものではなく、移動方角、移動速度等、利用者が利用する例えば車両の種類、その他の移動経路、移動方向、移動速度が予測できる情報の入力でもよい。また、利用者が車両を利用せず通信端末装置を所持して徒歩にて移動する場合でも本発明は、適用できる。
【００２１】
基地局装置２００は、通信端末装置１００から利用者の現在地Ｐ１、目的地Ｐ２、目的地到着予定時刻Ｔ２の入力情報を受信する（ＳＴ５０１）。移動経路予測部２０５は、受信した現在地Ｐ１と目的地Ｐ２から、移動方向Ｄを予測する（ＳＴ５０２）。また、移動速度予測部２０６は、受信した現在地Ｐ１と目的地Ｐ２間の距離、目的地到着予定時刻Ｔ２と現在時刻Ｔ１から、移動速度Ｖを予測する（ＳＴ５０３）。
【００２２】
利用者の現在地Ｐ１と予測された移動方向Ｄと移動速度Ｖと、予め基地局装置２００が既知のサービスエリア範囲から、利用者の現在地Ｐ１からサービスエリア境界Ｐ３を予測する（ＳＴ５０４）。次に、エリア滞在時間予測部２０７は、サービスエリア境界までの距離（Ｐ２−Ｐ１）と利用者の移動速度Ｖとから利用者がサービスエリアにどれだけ滞在するかサービスエリア滞在時間Ｔを予測する（ＳＴ５０５）。
【００２３】
ＣＰＵ２０１は、エリア滞在時間予測部２０７が予測したサービスエリア滞在時間Ｔに基づきサービスエリア滞在時間Ｔに提供されるサービスを全て抽出しサービスリストメモリ２０３に一時記憶させ、サービスリストとして、サービスエリア滞在時間Ｔとともに、無線部２０２を介して、通信端末装置１００に送信する（ＳＴ５０６）。具体的にはこの例では、図６に示すように、利用者がサービスエリア１に、７：００〜７：１０間での１０分間滞在することが通信端末装置１００に送信される。また、図７に示すように、ここでは、利用者の滞在が予測される７：００〜７：１０の１０分間の間に提供されるサービスＡ、ＢおよびＣが抽出され、リスト化される。その結果が、基地局装置２００からは、サービスエリア滞在時間Ｔと各サービスＡ、Ｂ、Ｃの提供時間とを含む提供対象サービス情報が通信端末装置１００に送信される。
【００２４】
このようにサービスエリア滞在時間と各サービスＡ、Ｂ、Ｃの提供時間を受信すると、通信端末装置１００では、内蔵されるプログラムを種々構成することによりこの提供対象サービス情報を活用して、利用者が期待するサービスを提供することが可能となる。
【００２５】
図８に、サービスエリア滞在時間とサービスリストデータを受信した通信端末装置１００がサービスエリア滞在中にサービス受信完了可能なサービスを判定する動作フロー図を示す。
【００２６】
通信端末装置１００は、基地局装置２００からサービスエリア滞在時間Ｔを受信する（ＳＴ８０１）。現在のサービスエリアで提供されているサービスリストデータを受信する（ＳＴ８０２）。これに応じて、受信完了可能サービス抽出部１０５は、サービスリストデータのサービスのサービス時間とサービスエリア滞在時間から、利用者が当該サービスエリア存在中に受信完了可能なサービスかを判定する（ＳＴ８０３）。これに応じて通信端末装置１００は、受信可能性が高いと判定された一群のサービスをサービスリストメモリ１０６が記憶する（ＳＴ８０４）とともに、全ての当該サービスエリアで提供されるサービスを判定が完了したか判定する（ＳＴ８０５）。なお、ステップＳＴ８０３での判定結果がＮｏの場合は、他の受信可能なサービスがないかをステップＳＴ８０５で判定する。全ての判定が完了すると（ＳＴ８０５：Ｙｅｓ）、通信端末装置１００は、受信完了可能性が高いと判定されたサービスのリストのみを表示部１０３で表示する（ＳＴ８０６）。
【００２７】
利用者は、表示部１０３に表示されたサービス一覧の中から、入力部１０４を利用した手動指令あるいはマイク１０９を利用した音声指令等により受信したいサービスを選択し、ＢＳ２００に送信する（ＳＴ８０７）。これに伴いＢＳ２００からＭＳ１００に選択されたサービスデータが送信され、ＭＳ１００は、サービス内容に応じて表示部１０３あるいはスピーカー１０８を駆動して、利用者にサービスを提供する（ＳＴ８０８）。
【００２８】
図９は、通信端末装置１００の表示部１０３で表示されるサービスリストを示す図である。本実施の形態の例では、サービスエリア１の滞在時間が１０分と予想される。一方、サービスエリア１で提供されているサービスＡが５分、サービスＢが２０分、サービスＣが３０分のため、表示される提供完了可能サービスは滞在時間１０分より短い、サービスＡのみとなり、サービスＡのみが、表示部１０３に表示される。
【００２９】
なお、ここでは、表示部１０３で視覚的に表示する例を示したが、本発明は、これに限ったものではなく、スピーカー１０８により聴覚的に表示しあるいはその他の方法で利用者に案内してもよい。
【００３０】
なお、ここでは、受信可能性が高いと判定されたサービスのみを通信端末装置１００に表示する例を示したが、本発明は、これに限ったものではなく、受信完了可能性の高さに応じた優先度をつけ、受信完了可能性が高い順に通信端末装置１００の表示部１０３に表示してもよい。また、この優先度は、利用者が設定可能にしてもよく、利用者が優先度を設定する場合には、利用者の選択傾向を学習する機能を付加し、学習機能に基づき優先付けされた表示をするようにしてもよい。さらに、利用者の視認性を高めるため受信完了可能性を色などで差をつけて視覚的に表示してもよい。
【００３１】
また、サービスリスト表示内容ないし表示仕様を利用者により選択してもよい。たとえば、当該サービスエリアで受信完了可能性の高いものだけを表示したり、当該サービスエリアで提供されている全サービスを表示したりしてもよい。
【００３２】
以上のように、実施の形態１の通信サービス提供システムによれば、利用者が受信したサービス選択時に、サービス終了まで受信し続ける可能性が高いサービスを知ることができる。
【００３３】
(実施の形態２)
次に、本発明の実施の形態２について説明する。図１０は、本発明の実施の形態２に係る通信端末装置２５０のブロック図である。実施の形態２は、実施の形態１に係る基地局装置２００が利用者の入力情報から利用者の移動方向、移動速度、サービスエリア滞在時間を予測していたが、情報の記憶担体であるＩＣ（Integrated Circuit）タグ２６０を用いて、利用者の移動方向、移動速度、サービスエリア滞在時間を予測する点に特徴がある。なお、図１０では図２と同じ部分については同じ参照符号を付して、詳細な説明は省略する。本実施の形態において、ＩＣタグ２６０は、乗車駅情報と降車駅情報の他、利用者の乗り換え情報を含むルート情報、有効期限などを予め記憶した定期券形態のものである。ＣＰＵ２５１は、ＩＣタグ２６０の各情報を読みとり可能である。
【００３４】
乗車駅と降車駅情報の入った記憶担体情報をやりとりできる通信端末装置２５０を用いて、改札の入場許可確認をＩＣタグ２６０で行う。ＩＣタグ２６０の情報がＣＰＵ２５１で読みとられ、入場許可により利用者が移動すると判定した通信端末装置２５０は、ＩＣタグ２６０から現在地、目的地、発車時刻、到着時刻を読みとり、基地局装置２００に送信する。基地局装置２００は、通信端末装置２５０から得られた目的地到着時刻から、移動速度を予測する。予測した移動速度と、現在地とサービスエリア境界までの距離から利用者がサービスエリアに存在する時間を予測する。
【００３５】
このように、実施の形態２に係る通信サービス提供システムによれば、例えば定期券機能を包含した通信端末装置２５０のＩＣタグ２６０の情報から利用者の移動経路を正確に予測でき、利用者の入力する工数を削減し、利用者が受信したサービス選択時に、サービス終了まで受信し続ける可能性が高いサービスを高精度で知ることができる。
【００３６】
なお、実施の形態２においては、利用者の移動を、基地局装置２００で予測するものとしたが、図３に示す基地局装置２００の移動経路予測部２０５、移動速度予測部２０６、エリア滞在時間予測部２０７と同等機能部を通信端末装置２５０に設けることは可能で、この場合には、通信端末装置２５０で利用者の移動を予測することができる。
【００３７】
(実施の形態３)
次に、本発明の実施の形態３について説明する。図１１は、実施の形態３に係る通信端末装置３５０の構成を示すブロック図である。以下、図１１を中心に用いて実施の形態３に係る通信サービス提供システムを説明する。本実施の形態は、全地球測位システム（ＧＰＳ（Global Positioning System））から得られるＧＰＳ情報を用いて、利用者の移動方向、移動速度、サービスエリア滞在時間を予測する点に特徴がある。なお、図１１では図２と同じ部分については同じ参照符号を付して、詳細な説明は省略する。図１１において、ＧＰＳ装置３６０は、人工衛星からの電波を受けて緯度、経度、高度などのＧＰＳ情報を得、通信端末装置３５０の現在位置を測定する。ＣＰＵ３５１は、ＧＰＳ装置３６０に対しＧＰＳ情報の出力を指令し、現在位置情報を取得する。
【００３８】
次に、実施の形態３の動作を説明する。ＧＰＳ装置３６０は、ＣＰＵ３５１に対し所定の測定間隔もしくはＣＰＵ３５１が測定指令をするごとに、ＧＰＳ情報を出力する。通信端末装置３５０は、利用者の動向を予測するにあたって、まずＧＰＳ装置３６０のＧＰＳ情報から現在地を特定し、メモリしておく。５分後にＧＰＳ装置３６０のＧＰＳ情報から現在地を特定する。５分前の位置と現在地を基地局装置２００に送信する。基地局装置２００は、５分前の位置と現在地から移動方向および、移動速度を予測する。予測した移動方向と移動速度とサービスエリア境界までの距離から通信端末装置３５０がサービスエリアに滞在する時間を予測する。予測したサービスエリア滞在時間を通信端末装置３５０に知らせる。
【００３９】
なお、ここでは、ＧＰＳ情報を利用した５分後の移動先から移動方向と移動速度を予測したが、本発明はこれに限ったものではなく、１０分後、１時間後など任意の時間で移動方向と移動速度を予測してもよい。また任意の時間毎にＧＰＳ情報を取得し、ある時間で平均した移動方向と移動速度を予測してもよい。
【００４０】
またＧＰＳ情報の履歴、予測したサービスエリア滞在時間をメモリしておくことで、履歴から過去に同様の移動があった場合、メモリのサービスエリア滞在時間を現在のサービスエリア滞在時間として、通信端末装置に知らせてもよい。これにより、移動方向の予測、移動速度の予測の工数を削減できる。
【００４１】
このように、実施の形態３のサービス提供方法によれば、ＧＰＳ情報から利用者の移動経路を正確に予測でき、利用者の入力する工数を削減し、利用者が受信したサービス選択時に、サービス終了まで受信し続ける可能性が高いサービスを高精度で知ることができる。
【００４２】
なお、実施の形態３においては、利用者の移動を、基地局装置２００で予測するものとしたが、図３に示す基地局装置２００の移動経路予測部２０５、移動速度予測部２０６、エリア滞在時間予測部２０７と同等機能部を通信端末装置３５０に設けることは可能で、この場合には、通信端末装置３５０で利用者の移動を予測することができる。
【００４３】
(実施の形態４)
次に、本発明の実施の形態４に係る基地局装置を図１２、図１３を用いて説明する。本実施の形態は、利用者が現存のサービスエリアでサービス受信完了できるサービスだけでなく、現在のサービスエリアと移動先のサービスエリアで提供されているサービスも参照し、サービスの受信完了可能性が高いかを判定し、利用者にサービスリストを表示する点に特徴がある。
【００４４】
図１２は、利用者が、通信サービス提供システムを利用する様子を示す模式図である。実施の形態４に係る通信サービス提供システムは、基地局装置ＢＳ１ないしＢＳ３と、通信端末装置１００と、ＲＮＣ３００とから主に構成される。この通信サービス提供システムでは、ＢＳ１が形成するサービスエリア１、ＢＳ２が形成するサービスエリア２、ＢＳ３が形成するサービスエリア３が３つ連なっており、拡大したサービスエリアを形成している。通信端末装置１００は、図２に示すものと同一である。
【００４５】
ＲＮＣ３００は、ＢＳ１ないし３を統括制御し、基地局装置ＢＳ１ないしＢＳ３からの要求に応じ、該当情報を各ＢＳに提供する。利用者は今サービスエリア１に居るものとする。従って、基地局装置ＢＳ１ないしＢＳ３は、ＲＮＣ３００から必要情報を取得することにより、図５に示す動作を実行する。
【００４６】
次に、実施の形態４に係る通信サービス提供システムの動作を予め簡単に説明する。今利用者は今サービスエリア１に居るものとする。利用者は通信端末装置１００を用いて、現在地Ｐ４、目的地Ｐ５、目的地到着時刻Ｔ３を入力し、現在地Ｐ４をカバーする基地局装置（ＢＳ）１に、入力した情報を送信する。利用者が入力した情報を受信したＢＳ１は、自己のサービスエリア１以外のサービスエリアの情報提供をＲＮＣ３００に対し要求する。これに伴い、ＲＮＣ３００は、必要に応じてＢＳ２および３と連動し、サービスエリア２およびサービスエリア３を含めた拡大したサービスエリアの情報を通信端末装置１００に対し送信する。これによって、通信端末装置１００は、利用者に対し現在地Ｐ４から目的地Ｐ５までの矢印でしめす利用者の移動経路の全域でサービスをすることができる。
【００４７】
図１３に、実施の形態４に係る通信サービス提供サービスの詳細動作を示すフロー図である。図において、図８と同じフローブロックについては同じ参照番号を付して、詳細説明を省略する。
【００４８】
通信端末装置１００は、基地局装置２００からサービスエリア１ないし３の滞在時間を受信し（ＳＴ１３０１）、続いて各サービスエリア１ないし３で提供されているサービスリストデータを受信する（ＳＴ１３０２）。これに応じて、受信完了可能サービス抽出部１０５は、サービスリストデータのサービスのサービス時間とサービスエリア滞在時間から、利用者が現在のサービスエリア存在中に受信完了可能なサービスかを判定する（ＳＴ１３０３）。該当サービスが受信完了可能の場合（ＳＴ１３０３：Ｙｅｓ）は、これに応じて通信端末装置１００は、受信可能性が高いと判定されたサービスをサービスリストメモリ１０６が記憶する（ＳＴ８０４）とともに、全ての当該サービスエリアで提供されるサービスを判定が完了したか判定する（ＳＴ８０５）。
【００４９】
なお、ステップＳＴ１３０３での判定結果がＮｏの場合は、移動経路のサービスエリア（図１２に図示する場合では、サービスエリア２ないし３）で受信可能なサービスでないかを判定する（ＳＴ１３０４）。判定結果がＹｅｓの場合は、通信端末装置１００は、受信可能性が高いと判定されたサービスをサービスリストメモリ１０６が記憶する（ＳＴ８０４）。ステップＳＴ１３０４の判定結果がＮｏの場合は、全ての判定が終了したかを判定し（ＳＴ８０５）、全ての判定が完了すると（ＳＴ８０５：Ｙｅｓ）、通信端末装置１００は、受信完了可能性が高いと判定されたサービスのリストのみを表示部１０３で表示する（ＳＴ８０６）。以下通信端末装置１００は、図８と同様、ステップＳＴ８０７、ＳＴ８０８の動作を行う。
【００５０】
図１４に、利用者の入力によって得られた、利用者の現在地、目的地、目的地到着予定時刻から基地局装置ＢＳ１が予測した各サービスエリア滞在時間を示す。図１５に、サービスエリア１で提供されているサービス名、サービスの開始時刻、サービス提供時間を示す。図１６に、サービスエリア２で提供されているサービス名、サービスの開始時刻、サービス提供時間を示す。図１７に、サービスエリア３で提供されているサービス名、サービスの開始時刻、サービス提供時間を示す。図１８に、利用者がサービス終了まで受信完了可能性の高いサービスを示す。
【００５１】
このように、実施の形態４に係るサービス提供方法によれば、利用者が現在いるサービスエリアのみでなく、移動先のサービスエリアで提供されているサービスも含めてサービスの受信完了可能性が高いサービスを知ることができる。すなわち、サービス時間が長大で、単一のサービスエリアでは受信完了ができないサービスであっても拡大したサービスエリアの特性を活用してサービス提供が可能となり、利用者に対するサービスをより向上できる。
【００５２】
以上各実施の形態においては、利用者が基地局装置からリアルタイムでサービスを受信する、いわばストリーミング型サービスを前提に説明をしたが、基地局装置が送信するサービスコンテンツを通信端末装置のメモリに一旦記憶し、利用者が記憶内容を再生して視聴等閲覧するように構成してもよい。このように通信端末装置のメモリに一旦記憶する、いわばダウンロード型のサービスも受けられる構成にすれば、利用者は記憶できたサービスについては、所望の時間に閲覧が可能となる。さらに、通信端末装置にサービスコンテンツを記憶するメモリを設けている場合には、ストリーミング型サービスを受けるとともに、同時並行的にメモリに記憶し、後の所望の時間に利用者が閲覧できるように構成することもできる。
【産業上の利用可能性】
【００５３】
本発明は、移動しながらＭＢＭＳを受信する利用者が、一塊りのサービスを終了まで利用できるので、利用者の満足度や利便性向上に役立ち、ＭＢＭＳを用いる通信サービスの提供の際有用である。
【図面の簡単な説明】
【００５４】
【図１】本発明の実施の形態１に係る通信サービス提供システムの構成を示すブロック図
【図２】本発明の実施の形態１に係る通信端末装置の構成を示すブロック図
【図３】本発明の実施の形態１に係る基地局装置の構成を示すブロック図
【図４】本発明の実施の形態１に係る通信サービス提供システムを利用の様子を示す模式図
【図５】本発明の実施の形態１に係る基地局装置がサービスエリア滞在時間を予測する動作のフロー図
【図６】本発明の実施の形態１に係る基地局装置が送信するサービスエリア滞在時間の例を示す図
【図７】本発明の実施の形態１に係る基地局装置が送信するサービスリストの例を示す図
【図８】本発明の実施の形態１に係る通信サービス提供システムの動作を示すフロー図
【図９】本発明の実施の形態１に係る通信端末装置で表示されるサービスリストを示す図
【図１０】本発明の実施の形態２に係る通信端末装置の構成を示すブロック図
【図１１】本発明の実施の形態３に係る通信端末装置の構成を示すブロック図
【図１２】利用者が、本発明の実施の形態４に係る通信サービス提供システムを利用する様子を示す模式図
【図１３】本発明の実施の形態４に係る通信サービス提供システムの動作を示すフロー図
【図１４】本発明の実施の形態４に係る基地局装置が送信するサービスエリア滞在時間を示す図
【図１５】本発明の実施の形態４に係る基地局装置が送信するサービスエリア１でのサービスの詳細を示す図
【図１６】本発明の実施の形態４に係る基地局装置が送信するサービスエリア２でのサービスの詳細を示す図
【図１７】本発明の実施の形態４に係る基地局装置が送信するサービスエリア３でのサービスの詳細を示す図
【図１８】本発明の実施の形態４に係る基地局装置が送信する利用者が受信を完了するサービスを示す図
【符号の説明】
【００５５】
１００  通信端末装置
１０３  表示部
１０５  受信完了可能サービス抽出部
１０６  サービスリストメモリ
２００、２１０、２２０  基地局装置
２０５  移動経路予測部
２０６  移動速度予測部
２０７  エリア滞在時間予測部
２６０  ＩＣタグ
３００  ＲＮＣ
３６０  ＧＰＳ装置
【図１】
2007081714.tif 000003
【図２】
2007081714.tif 000004
【図３】
2007081714.tif 000005
【図４】
2007081714.tif 000006
【図５】
2007081714.tif 000007
【図６】
2007081714.tif 000008
【図７】
2007081714.tif 000009
【図８】
2007081714.tif 000010
【図９】
2007081714.tif 000011
【図１０】
2007081714.tif 000012
【図１１】
2007081714.tif 000013
【図１２】
2007081714.tif 000014
【図１３】
2007081714.tif 000015
【図１４】
2007081714.tif 000016
【図１５】
2007081714.tif 000017
【図１６】
2007081714.tif 000018
【図１７】
2007081714.tif 000019
【図１８】
2007081714.tif 000020